(57)【特許請求の範囲】
【請求項１】
固定枠体側に相互間に上下方向に距離を置いて設けられる第１及び第２のストライクと；固定枠体側に枢支される扉を閉鎖したとき第１ストライク及び第２ストライクの前方に対面する位置において当該扉に固着されるハンドルベースと；扉の前面と平行な第１固定枢軸によって基端側においてハンドルベースに起伏自在に枢着されることによって、倒伏したロック位置と起立した非ロック位置との間を回転自在で、ロック位置において基端から末端へ上下方向に延びるように配置されると共に、前記第１固定枢軸よりも末端側の部位においてロック位置における後方へ延出する駆動アームを有するレバーハンドルと；第１、第２、第３の３つの枢支点を有し、前記第１固定枢軸と平行な第１可動枢軸によって第１枢支点において前記駆動アームの先端部に枢着される第１連結リンクと；一端部と他端部とを有し、前記第１固定枢軸と平行な第２可動枢軸によって一端部が前記第１連結リンクの第２枢支点に枢着される第２連結リンクと；基端部と、基端部から前記ハンドルベースの背面側に突出するフック部と、基端部からフック部と反対方向へ延出する受動肩部とを有し、基端部が前記第１固定枢軸と平行な第２固定枢軸によって第１固定枢軸の下斜め後方位置においてハンドルベースに枢着されると共に、受動肩部が第１固定枢軸と平行な第３可動枢軸によって前記第１連結リンクの第３枢支点に枢着されることで、前記レバーハンドルに連動してロック位置と非ロック位置との間を正逆回転し、ロック位置においてフック部が第１ストライクに対して上方から背面に係合し、非ロック位置においてフック部が第１ストライクから離脱する第１クランプ体と；基端部と、基端部から前記ハンドルベースの背面側に突出するフック部と、基端部からフック部と反対方向へ延出する受動肩部とを有し、基端部が前記第１固定枢軸と平行な第３固定枢軸によって第１固定枢軸の上斜め後方位置においてハンドルベースに枢着されると共に、受動肩部が第１固定枢軸と平行な第４可動枢軸によって前記第２連結リンクの他端部に枢着されることで、前記レバーハンドルに連動してロック位置と非ロック位置との間を前記第１クランプ体と反対方向に正逆回転し、ロック位置においてフック部が第２ストライクに対して下方から背面に係合し、非ロック位置においてフック部が第２ストライクから離脱する第２クランプ体と；一端側が前記第２固定枢軸に係止され、他端側が前記第１可動枢軸に係止され、非ロック位置にある前記レバーハンドルを起立状態に保持し、非ロック位置からロック位置への回転途上で死点を超え、ロック位置にあるレバーハンドルを倒伏状態に保持する反転ばねとを具備し；前記レバーハンドルが非ロック位置からロック位置へ回転する途上のロック位置の直前位置で、前記第１可動枢軸と第２可動枢軸とを結ぶ直線が、第２可動枢軸から扉前面に対して直角に延びる基準線を下方から上方へ越えることにより、ロック位置において前記第１、第２クランプ体が、非ロック方向への回転外力を受けたときに、前記第２連結リンクを介してレバーハンドルを倒伏方向へ押しつけ、その反力で当該外力に抗するように構成されることを特徴とする扉用ロックハンドル装置。
【発明の詳細な説明】
【技術分野】
【０００１】
この発明は、電気機器格納用キャビネット等において、閉鎖状態の扉をキャビネット本体等の固定枠体に対して締付け錠止するクランプ式の扉用ロックハンドル装置に関する。
【背景技術】
【０００２】
分電盤や配電盤等の電気機器収納用キャビネットの扉用ロックハンドル装置として、例えば、特許文献1に記載されダブルクランプ式の扉用ロックハンドル装置が知られている。このロックハンドル装置は、固定枠体側に相互間に距離を置いて設けられる第１ストライク及び第２ストライクと；扉を閉鎖したとき第１ストライク及び第２ストライクと対面する位置において扉に固着される本体ケースと；前記本体ケースに収容され、扉前面と平行な第１固定枢軸によって本体ケースに枢着され、第１固定枢軸よりも先端側の部位に駆動アームを設けたレバーハンドルと；第１固定枢軸と平行な第１可動軸によって前端部を前記駆動アームの先端部に枢着された連結リンクと；第１固定枢軸と平行であって第１固定枢軸よりも斜め後方に配置した第２固定枢軸によって基端部を本体ケースに枢着され、本体ケースの背面側に突出した先端フック部が第１ストライクに係脱する第１クランプ体と；第１固定枢軸と平行であって第１固定枢軸よりも斜め後方に配置した第３固定枢軸によって基端部を本体ケースに枢着され、本体ケースの背面側に突出した先端フック部が第２ストライクに係脱する第２クランプ体とからなり、
扉前面に対して直角であって第１固定枢軸を通る動作基準線に関して第２固定枢軸と第３固定枢軸を対称位置に配置し、第１固定枢軸と平行であって前記動作基準線に沿って移動する第２可動枢軸によって第１クランプ体の受動肩部と第２クランプ体の受動肩部を前記連結リンクの後端部に連結し、第１クランプ体の先端フック部が第１ストライクに係合し、第２クランプ体の先端フック部が第２ストライクに係合した扉施錠状態において、第１可動枢軸が前記動作基準線を第２固定枢軸側に越えた位置に来る一方、第１クランプ体の先端フック部が第１ストライクから離脱し、第２クランプ体の先端フック部が第２ストライクから離脱した扉解錠状態において、第１可動枢軸が前記動作基準線を第３固定枢軸側に越えた位置に来るようにしたものである。この装置では、第２可動枢軸を動作基準線に沿って移動させるために、その両端部を本体ケースに形成されたガイド用スロットに挿入する構成である。また、第１クランプ体の受動肩部と第２クランプ体の受動肩部にはそれぞれ連動用スロットが形成され、これらの連動用スロットに第２可動枢軸を挿通させて両クランプ体を連結リンクの後端部に連結する構成である。
【先行技術文献】
【特許文献】
【０００３】
【特許文献１】特開２００６−６３６７３号公報
【発明の概要】
【発明が解決しようとする課題】
【０００４】
この出願に係る発明は、ガイド用スロット又は連動用スロットに可動枢軸を係合させる上記従来の複雑な構成を用いることなく、単純で遊びの少ないリンク結合のみを用いたダブルクランプ式の扉用ロックハンドル装置を提供することを目的としている。
【課題を解決するための手段】
【０００５】
以下、添付図面の符号を参照して説明するが、本発明はこれに限定されるものではない。
上記課題を解決するための、この出願に係る発明の扉用ロックハンドル装置は、固定枠体Ｂ側に相互間に上下方向に距離を置いて設けられる第１及び第２のストライク１，２と；扉Ｄを閉鎖したとき第１ストライク及び第２ストライク１，２の前方に対面する位置において当該扉Ｄに固着されるハンドルベース３と；扉Ｄの前面と平行な第１固定枢軸４によって基端側においてハンドルベース３に起伏自在に枢着されることによって、倒伏したロック位置（図３）と起立した非ロック位置（図１）との間を回転自在で、ロック位置において基端から末端へ上下方向に延びるように配置されると共に、前記第１固定枢軸４よりも末端側の部位においてロック位置における後方へ延出する駆動アーム６を有するレバーハンドル５と；第１、第２、第３の３つの枢支点１３，１６，１８を有し、前記第１固定枢軸４と平行な第１可動枢軸１３によって第１枢支点において前記駆動アーム６の先端部に枢着される第１連結リンク１４と；一端部と他端部とを有し、前記第１固定枢軸４と平行な第２可動枢軸１６によって一端部が前記第１連結リンク１４の第２枢支点１６に枢着される第２連結リンク１７と；基端部９と、基端部９から前記ハンドルベース３の背面側に突出するフック部１０と、基端部９からフック部１０と反対方向へ延出する受動肩部１１とを有し、基端部９が前記第１固定枢軸４と平行な第２固定枢軸７によって第１固定枢軸４の下斜め後方位置においてハンドルベース３に枢着されると共に、受動肩部１１が第１固定枢軸４と平行な第３可動枢軸１８によって前記第１連結リンク１４の第３枢支点１８に枢着されることで、前記レバーハンドル５に連動してロック位置と非ロック位置との間を正逆回転し、ロック位置においてフック部１０が第１ストライク１に対して上方から背面に係合し、非ロック位置においてフック部１０が第１ストライク１から離脱する第１クランプ体８と；基端部２２と、基端部２２から前記ハンドルベース３の背面側に突出するフック部２３と、基端部２２からフック部２３と反対方向へ延出する受動肩部２４とを有し、基端部２２が前記第１固定枢軸４と平行な第３固定枢軸２０によって第１固定枢軸４の上斜め後方位置においてハンドルベース３に枢着されると共に、受動肩部２４が第１固定枢軸４と平行な第４可動枢軸２５によって前記第２連結リンク１７の他端部に枢着されることで、前記レバーハンドル５に連動してロック位置と非ロック位置との間を前記第１クランプ体８と反対方向に正逆回転し、ロック位置においてフック部２３が第２ストライク２に対して下方から背面に係合し、非ロック位置においてフック部２３が第２ストライク２から離脱する第２クランプ体２１と；一端側が前記第２固定枢軸７に係止され、他端側が前記第１可動枢軸１３に係止され、非ロック位置にある前記レバーハンドル５を起立状態に保持し、非ロック位置からロック位置への回転途上で死点を超え、ロック位置にあるレバーハンドル５を倒伏状態に保持する反転ばね１９とを具備し；前記レバーハンドル５が非ロック位置からロック位置へ回転する途上のロック位置の直前位置で、前記第１可動枢軸１３と第２可動枢軸１６とを結ぶ直線が、第２可動枢軸１６から扉前面に対して直角に延びる基準線Ｌを下方から上方へ越えることにより、ロック位置において前記第１、第２クランプ体８，２１が、非ロック方向への回転外力を受けたときに、前記第２連結リンク１７を介してレバーハンドル５を倒伏方向へ押しつけ、その反力で当該外力に抗するように構成される。
【発明の効果】
【０００６】
この出願に係る発明によれば、比較的単純なリンク結合のみを用いたダブルクランプ式の扉用ロックハンドル装置を提供することができる。
【図面の簡単な説明】
【０００７】
【図１】本発明に係る扉用ロックハンドル装置の開錠状態の縦断面図である。
【図２】図１の扉用ロックハンドル装置の錠止状態の縦断面図である。
【図３】図１の扉用ロックハンドル装置の操作途上における縦断面図である。
【図４】図１の扉用ロックハンドル装置を扉の裏側から見た背面図である。
【図５】図１の扉用ロックハンドル装置の平面図である。
【発明を実施するための形態】
【０００８】
図面を参照してこの発明の実施の形態を説明する。
図１ないし図３は、本発明のロックハンドル装置を扉Ｄに取り付けた状態を示す縦断側面図であって、図１は開錠状態、図２は操作途上状態、図３は錠止状態を示している。図において１は第１ストライク、２は第２ストライクであり、上下方向所要間隔を置いて、キャビネット等の本体である固定枠体Ｂにおける開口部の周囲フランジ部Ｂ１に固着されている。
【０００９】
ロックハンドル装置のハンドルベース３は、閉扉時にストライク１，２に対向するように、扉Ｄの自由端部側の前面に配置され、扉Ｄの裏（後面）側からねじで扉Ｄに締め付け固着される。
【００１０】
第１固定枢軸４は、扉Ｄの前面と平行で、両端においてハンドルベース３の左右側壁部に支持され、中間部がレバーハンドル５の上端（基端）部を水平方向に貫通している。レバーハンドル５は、第１固定枢軸４を中心に、ハンドルベース３に対して起立した非ロック位置（図１）と、倒伏したロック位置（図３）との間を、途上位置（図２）を経て回転自在で、ロック位置において、扉Ｄの前面に沿って上下方向に延びるように配置される。レバーハンドル５は、ロック位置において第１固定枢軸４よりも後方(扉の背面側)へ延出する駆動アーム６を有する。
【００１１】
第２固定枢軸７は、第１固定枢軸４と平行で、第１固定枢軸の斜め下後方位置において、両端がハンドルベース３の左右側壁部に支持され、中間部が第１クランプ体８の基端部９を水平方向に貫通している。第１クランプ体８は、基端部９と、基端部９からハンドルベース３の背面側に突出するフック部１０と、基端部からフック部１０と反対方向へ延出する受動肩部１１とを有する。また、基端部９からばね受け突起１２が突出している。
【００１２】
第１可動枢軸１３は、第１固定枢軸４と平行で、両端においてレバーハンドル５における駆動アーム６の先端部に支持される。第１可動枢軸１３の中間部は、第１連結リンク１４の第１枢支点を貫通する。第１連結リンク１４は、ほぼL字形の板状で、一端側に第１枢支点、中間に第２枢支点、他端側に第３枢支点を有し、また第１枢支点付近にばね受け突起１５を有する。
【００１３】
第２可動枢軸１６は、第１固定枢軸４と平行で、第１連結リンク１４の第２枢支点と第２連結リンク１７の一端部とを枢支する。第３可動枢軸１８は、第１固定枢軸４と平行で、第１連結リンク１４の第３枢支点と第１クランプ体８の受動肩部１１とを枢支する。第１クランプ体８のばね受け突起１２と第１連結リンク１４のばね受け突起１５との間（実質的には、第２固定枢軸９と第１可動枢軸１３との間）には、反転ばね１９が挿入される。
【００１４】
第３固定枢軸２０は、第１固定枢軸４と平行で、第１固定枢軸の斜め上後方位置において、両端がハンドルベース３の左右側壁部に支持され、中間部が第２クランプ体２１の基端部２２を水平方向に貫通している。第２クランプ体２１は、第１クランプ体８と同形で、それと上下反転した状態に設けられ、基端部２２と、基端部２２からハンドルベース３の背面側に突出するフック部２３と、基端部からフック部２３と反対方向へ延出する受動肩部２４とを有する。第４可動枢軸２５は、第１固定枢軸４と平行で、第２連結リンク１７の他端部と第２クランプ体２１の受動肩部２４とを枢支する。
【００１５】
したがって、第１、第２クランプ体８，２１は、レバーハンドル５の起伏回転に連動して、非ロック位置（図１）とロック位置（図３）との間を正逆回転し、ロック位置においてフック部１０，２３が、それぞれ第１、第２ストライク１，２に対して上方又は下方から背面に係合し、非ロック位置においてフック部１０，２３が第１、第２ストライク１，２から離脱する。
【００１６】
反転ばね１９は、実質的に、一端側が第１可動枢軸１３に係止され、他端側が第２固定枢軸７に係止されているので、非ロック位置にあるレバーハンドル５を起立状態（図１）に保持（図１において固定枢軸４を中心に反時計方向の回転力を付与）し、非ロック位置からロック位置への回転途上（図２）で圧死点を越え、ロック位置（図３）にあるレバーハンドル５を倒伏状態に保持（図３において軸４を中心に時計方向の回転力を付与）する。
【００１７】
しかして、ロックハンドル装置の本体は、図１に示すように、クランプ体８，２１のフック部１０，２３がストライク１，２から離脱した非ロック位置において、第１可動枢軸（第１枢支点）１３と第２可動枢軸（第２枢支点）１６とを結ぶ直線Ｌ１が、第２可動枢軸（第２枢支点）１６から扉前面に対して直角に延びる基準直線Ｌより下方にある一方、図３に示すように、クランプ体８，２１のフック部１０，２３がストライク１，２に係合したロック位置において、直線Ｌ１が、基準直線Ｌを上方へ越えた位置に来るように各部が配置される。
【００１８】
今、図１に示す非ロック状態において、レバーハンドル５は、ハンドルベース３から起立し、反転ばね１９により、起立状態に保持されている。第１、第２クランプ体８，２１のフック部１０，２３は、それぞれ第１、第２ストライク１，２から離脱している。直線Ｌ１は、基準直線Ｌの右下側にある。
【００１９】
この状態から、反転ばね１９に抗してレバーハンドル５を倒伏方向(時計方向)へ回転させると、図２に示す中間位置において反転ばね１９が圧死点に達し、これを越えると、レバーハンドル５は倒伏方向へ付勢され、図３に示すロック位置に至る。この間に、直線Ｌ１は、基準直線Ｌを上方へ越えて右上側に配置される。この状態では、外部の衝撃や振動、扉の自重、固定枠体の内部圧力等によりフック部１０，２３が離脱方向（フック部１０が図において時計方向、フック部２３が図において反時計方向）への回転力を受けても、連結リンク１４が回転できないので、フック部１０，２３がストライク１，２から離脱することはない。扉は２点でロックされるので良好な密閉状態が確保される。
【符号の説明】
【００２０】
１    第１ストライク
２    第２ストライク
３    ハンドルベース
４    第１固定枢軸
５    レバーハンドル
６    駆動アーム
７    第２固定枢軸
８    第１クランプ体
９    基端部
１０  フック部
１１  受動肩部
１２  ばね受け突起
１３  第１可動枢軸
１４  連結リンク
１５  ばね受け突起
１６  第２可動枢軸
１７  第２連結リンク
１８  第３可動枢軸
１９  反転ばね
２０  第３固定枢軸
２１  第２クランプ体
２２  基端部
２３  フック部
２４  受動肩部
２５  第３可動枢軸
Ｂ    固定枠体
Ｂ１  囲壁部
Ｄ    扉
Ｌ    基準直線
Ｌ１  第１、第２枢支点間を結ぶ直線
【図１】
0005174928.tif 000002
【図２】
0005174928.tif 000003
【図３】
0005174928.tif 000004
【図４】
0005174928.tif 000005
【図５】
0005174928.tif 000006